(57)【要約】      （修正有）【課題】樹脂製のメガネフレームであって、外観が向上し、表面の耐久性が高いフロント部の両側に取付けられるツルの継手構造を提供する。【解決手段】フロント部側部とツル基部には互いに噛み合って軸ピン（軸ネジ）にて連結される蝶片２が固定され、蝶片は複数本のピン４ａ、４ｂを表面から圧入して内側へ突出する先端を基板３の穴に挿通してカシメ、ピンの頭部６ａ、６ｂは表面に埋め込み、表面８に形成される窪みには樹脂製のピース９ａ、９ｂを嵌めて同一面としている。【選択図】図１
0003228864.tif 000002
【実用新案登録請求の範囲】
【請求項１】
樹脂製のメガネフレームであって、フロント部の両側に取付けられるツルの継手構造において、フロント部側部とツル基部には互いに噛み合って軸ピン（軸ネジ）にて連結される蝶片が固定され、ツル側の蝶片又はフロント部側の蝶片には複数本のピンを表面から圧入して内側へ突出する先端を基板穴に挿通してカシメ、ピンの頭部は表面に埋め込み、表面に形成される窪みには樹脂製のピースを嵌めて同一面としたことを特徴とするツルの継手構造。
【請求項２】
上記樹脂製メガネフレームに代わって、ベッコウ製のメガネフレームとした請求項１記載のツルの継手構造。
【請求項３】
上記樹脂製メガネフレームに代わって、動物の角を材質として作ったメガネフレームとした請求項１記載のツルの継手構造。
【請求項４】
上記樹脂製メガネフレームに代わって、木製のメガネフレームとした請求項１記載のツルの継手構造。
【請求項５】
表面にはコート液を塗布してコート層を形成した請求項１、請求項２、請求項３、又は請求項４記載のツルの継手構造。
【考案の詳細な説明】
【技術分野】
【０００１】
本考案は樹脂製のメガネフレーム、又はベッコウを用いて製作したメガネフレームを対象とし、フロント部の両側に折畳み出来るように取付けられるツルの継手構造に関するものである。特に、蝶番を構成する蝶片の取付けに関するものである。
【背景技術】
【０００２】
メガネフレームは、フロント部の両側にツルが取付けられ、該ツルは蝶番などの継手を介して折畳み出来るように構成している。図２は一般的な樹脂製のメガネフレームを示す具体例であり、同図の（イ）はフロント部、（ロ）はツルを表している。フロント部（イ）は対を成すリム（ハ）、（ハ）を有し、両リム（ハ）、（ハ）にはレンズ（ニ）、（ニ）が嵌り、中央の連結部（ホ）を介して左右対称に繋がれている。
【０００３】
そして、連結部（ホ）の下側にはリム（ハ）、（ハ）の一部に鼻当て部（ヘ）、（ヘ）が一体化して形成されている。上記ツル（ロ）、（ロ）は蝶番にて折畳み出来るように取付けられているが、該蝶番は金属製フレームのようにロウ付けすることは出来ないために、圧入したピンによって固定されている。
図３はツル（ロ）に蝶番を構成する一方側蝶片（ト）を取付けている場合の実施例である。
【０００４】
蝶片（ト）から延びる基板（ヌ）はツル（ロ）の内面（チ）に面して２本のピン（リ）、（リ）によって固定され、各ピン（リ）、（リ）はツル（ロ）に圧入され、先端が基板（ヌ）に貫通した穴に嵌ってカシメられている。そして、ピンの頭部（ル）、（ル）はツル（ロ）の内部に埋着し、頭部表面（ワ）はツル表面（オ）とほぼ同一面を成している。
ツル（ロ）に固定された一方側蝶片（ト）は、同じように固定したフロント部側蝶片と噛み合って、軸穴（カ）に軸ピンが挿通されることで、ツル（ロ）はフロント部（イ）に取付けられて折畳まれる。
【０００５】
ところで、このように蝶片（ト）を取付けたツル（ロ）の表面（オ）はコートされて保護している。ピン（リ）、（リ）は金属製であり、樹脂製ツル（ロ）とは材質を異にし、その為に塗布されるコート液の密着性が異なり、金属製の頭部表面（ワ）、又はツル表面（オ）の何れかのコートが剥がれるといった事態が発生する。コートが一部剥がれることで、ツル（ロ）の外観は損なわれる。
【０００６】
従来から、樹脂製メガネフレームのツルに関する先行文献は色々知られている。
例えば、特開２０００−３１０７５５号に係る「樹脂製メガネフレームのツル」は、樹脂製メガネフレームのツルにおいて、ツル継手部に作用する曲げモーメントに対抗する為に、樹脂層を厚くすることなく、弾力性に富み、しかも強度の高いツルを構成している。
すなわち、樹脂製のツル中心軸部には芯金１を埋着し、この芯金１は細い平線材で先端部を円形断面の丸線とし、そして芯金の継手部側の平線材の厚みを僅かに大きくし、蝶片２をロウ付けする際の高熱に基づく軟化現象による強度の低下をカバーしている。
【特許文献１】特開２０００−３１０７５５号に係る「樹脂製メガネフレームのツル」
【考案の開示】
【考案が解決しようとする課題】
【０００７】
樹脂製メガネフレームにおいて、ツルを折畳み出来るように取付けることが出来る蝶番の蝶片を固定するピンの頭部がツルの外観を損なう虞がある。
本考案が解決しようとする課題はこの問題点であり、上記頭部が表面化することがないように、蝶番を構成する蝶片を固定することが出来る樹脂製メガネフレームのツル継手構造を提供する。また、樹脂製のメガネフレームの他に、ベッコウを用いて製作したメガネフレーム、動物の角を用いたメガネフレーム、又は木製のメガネフレームも対象とする。
【課題を解決するための手段】
【０００８】
本考案に係るメガネフレームは、樹脂製、ベッコウ製、動物の角を用いたもの、又は木製のメガネフレームを対象とし、該メガネフレームはフロント部と２本のツルを有し、ツルはフロント部の両側に蝶番を介して折畳み出来るように取付けられている。蝶番は両蝶片と軸ピン（軸ネジ）から成り、一方の蝶片はフロント部の側端に取付けられ、他方の蝶片はツルの基部に取付けられていて、両蝶片は互いに噛み合った状態で軸ピンにて繋がれている。したがって、ツルはフロント部に蝶番にて連結して折畳むことが出来る。
【０００９】
各蝶片は表面から圧入したピンによって固定されるが、ピンの先端は蝶片の基板に設けた穴に貫通して先端がカシメられる。そして、ピンの頭部はフロント部表面及びツルの表面に埋め込まれて、凹部が形成される。すなわち、表面と頭部の表面との間に段差が形成されて窪んだ状態とされるが、この窪んだ凹部には樹脂製、ベッコウ製、又は木製などの円盤状ピースが嵌って同一面と成っている。該ピースにてピン頭部は表面化しないように被覆され、表面全体がコートされる。
【考案の効果】
【００１０】
本考案の樹脂製メガネフレーム、ベッコウ製メガネフレーム、木製メガネフレーム、又は動物の角で作ったメガネフレームのツル継手構造は、フロント部の両側に蝶番を介してツルが折畳み出来るように取付けられている。基本的な構造は従来から用いられている継手構造と共通しているが、蝶片をフロント部及びツルに固定するピンの頭部が埋め込まれ、形成される凹部には樹脂製又はベッコウ製などのピースが嵌っている。
【００１１】
すなわち、ピン頭部は外部に表面化しない構造としており、外観が向上する。ツルを取付けている蝶番は存在しているが、該蝶番の取付け構造が表面化しないように成っている。
そして、ピン頭部は表面に埋め込まれて凹部と成っているが、樹脂製ピース、ベッコウ製ピース、又は木製ピースが凹部に嵌って同一面を成している。したがって、樹脂表面又はベッコウなどの表面に塗布して形成されるコートは剥がれることなく、何時までも安定したコート層となる。
【図面の簡単な説明】
【００１２】
【図１】本考案に係る実施例であり、蝶片がツルの内側に取付けられている場合の断面図。
【図２】従来の樹脂製メガネフレームの外観を示す具体例。
【図３】従来の蝶番を構成する蝶片の取付け構造であって、蝶片がツルの内側に２本のピンによって取付けられている場合の断面図。
【考案を実施するための形態】
【００１３】
図１は蝶番を構成する蝶片がピンを介してツルに固定した場合の実施例である。
同図の１はツル、２は蝶番を構成する片方の蝶片、３は基板、４ａ，４ｂはピンを表し、該蝶片２はその基板３がツル１の内面５に当接してピン止めされている。ピン４ａ，４ｂは外径を大きくした頭部６ａ，６ｂを有し、先端のカシメ部７ａ，７ｂとで上記基板３をツル１の内面に配置して挟み込んだ状態で固定されている。
すなわち、ツル１の表面８から所定の間隔をおいた２本のピン４ａ，４ｂは圧入され、その先端は基板３に設けた穴を挿通し、基板３から突出した部分がカシメられ、カシメ部７ａ，７ｂが形成される。
【００１４】
２本のピン４ａ，４ｂをツル１の表面８から圧入し、内側５へ突出した先端部を蝶片２の基板３の穴に挿通して先端をカシメることで取付ける構造は従来と同じである。しかし、本考案ではピン４ａ，４ｂの頭部６ａ，６ｂはツル１に埋め込まれ、表面８には窪みが形成される。そして、この窪みを埋めるために樹脂製のピース９ａ，９ｂ、又はベッコウ製のピース９ａ，９ｂが圧入されている。
【００１５】
そこで、樹脂製のピース９ａ，９ｂの表面１０ａ，１０ｂはツル表面８と同一面となり、勿論、段差は存在しない。樹脂製のピース９ａ，９ｂがツル１と同じ材質であるならば、蝶片２の取付け構造が表面化することなく、ツル１の外観はもとより、メガネフレームの外観が向上する。
勿論、圧入されるピース９ａ，９ｂを利用して一種の装飾効果を持たせることも可能である。すなわち、ツル１とは異なる材質を用いてピース９ａ，９ｂを構成し、それを圧入することでツル１の表面８を装飾することが出来る。
【００１６】
一方、窪みにピース９ａ，９ｂを圧入して同一面となった表面８にコート液を塗布してコート層を形成することが出来る。勿論、コートをしない場合もあるが、金属製のピン４ａ，４ｂの頭部６ａ，６ｂが表面化していないツル１の表面８は、形成されるコート層は安定し、部分的に剥がれることはなく、ツル１の外観は損なわれない。勿論、フロント部の両側に取付けられる蝶片の場合も同じである。
【００１７】
フロント部の場合には、表面から２本のピンを圧入し、このピンによってフロント部に設けている蝶片が固定される。そして、該ピンの頭部が表面化しないように、頭部はフロント部内部に埋め込まれて窪みが形成される。そして、ツルの場合と同じく、窪みには樹脂製のピースが圧入されて塞がれる。その為に、圧入されたピンの存在は表面化されず、フロント部の外観は向上する。
【符号の説明】
【００１８】
１   ツル
２   蝶片
３   基板
４   ピン
５   内面
６   頭部
７   カシメ部
８   表面
９   ピース
10   表面
【図１】
0003228864.tif 000003
【図２】
0003228864.tif 000004
【図３】
0003228864.tif 000005